(57)【要約】【課題】防水性が高くて外観に優れる屋根を形成することができる屋根材を提供する。【解決手段】基板１の表面に傾斜方向の異なる複数の傾斜面２、２…を設ける。基板１の側部に設けた側部傾斜面３、４を基板１の内側方向に下り傾斜させて形成する。雨水が基板１の両側部に設けた側部傾斜面３、４から基板１の内側方向に向かって流れることになり、軒棟方向と直交する方向に隣接して接続した屋根材Ａ、Ａの接続部分Ｂに向かって雨水が流れにくくなる。【選択図】図１
2008163678.tif 000002
【特許請求の範囲】
【請求項１】
基板の表面に傾斜方向の異なる複数の傾斜面を設け、基板の側部に設けた側部傾斜面を基板の内側方向に下り傾斜させて形成して成ることを特徴とする屋根材。
【請求項２】
基板の略中央部に頂部を設け、頂部から略側方に向かって下り傾斜する中央部傾斜面を設けて成ることを特徴とする請求項１に記載の屋根材。
【請求項３】
基板の棟側部に基板の略中央部に向かって下り傾斜する棟部傾斜面を形成して成ることを特徴とする請求項１又は２に記載の屋根材。
【請求項４】
棟部傾斜面を棟側寄りの緩斜面部と中央部寄りの急斜面部とで形成して成ることを特徴とする請求項３に記載の屋根材。
【請求項５】
請求項１乃至４のいずれかに記載の複数枚の屋根材を屋根の軒棟方向とそれに直交する方向とに隣接して形成される屋根であって、軒棟方向と直交する方向に隣接して接続した屋根材の接続部分が軒棟方向に一直線上に並ばないように、複数枚の屋根材を千鳥配置して成ることを特徴とする屋根。
【発明の詳細な説明】
【技術分野】
【０００１】
本発明は、セメント等の無機質材料を主成分とする屋根材及びそれを用いた屋根に関するものである。
【背景技術】
【０００２】
日本瓦は、通常、断面波型形状に形成しているため筋葺きであって、屋根が単調な外観となり、また、防水性能もあまり高くなかった。また、表面がほぼ平坦な屋根材を用いて屋根を形成することが行われている（例えば、特許文献１、２参照）。図３に、表面がほぼ平坦な屋根材を用いた屋根の一例を示す。この屋根では、複数枚の屋根材Ａ、Ａ…を屋根の軒棟方向（傾斜方向）とそれに直交する方向とに並べて形成されるものであって、軒棟方向と直交する方向に隣接して接続した屋根材Ａ、Ａの接続部分Ｂが軒棟方向に一直線上に並ばないように、複数枚の屋根材Ａ、Ａ…を千鳥配置している。また、屋根の軒棟方向で隣接する屋根材Ａ、Ａは、軒側に配置した屋根材Ａの棟側端部に、棟側に配置した屋根材Ａの軒側端部を上から重ねるようにしている。図４（ａ）〜（ｃ）に示すように、屋根材Ａ、Ａの重ね代Ｌは４０〜１００ｍｍの間で適宜設定可能である。
【０００３】
しかし、上記の屋根では、棟側の屋根材Ａから流れてきた雨水が軒側の屋根材Ａの左右の接合部分Ｂ付近に集まりやすくなり、雨水が接合部分Ｂの隙間から屋根材Ａの裏面側に回り込みやすいという問題があった。また、雨水を流すための溝Ｃを屋根材Ａの表面に設けることもできるが、デザインが単調になり外観が低いという問題があった。
【特許文献１】特開２００４−３５３２４６号公報
【特許文献２】特開２００１−２００６１６号公報
【発明の開示】
【発明が解決しようとする課題】
【０００４】
本発明は上記の点に鑑みてなされたものであり、防水性が高くて外観に優れる屋根を形成することができる屋根材を提供することを目的とするものである。
【０００５】
また、本発明は、防水性が高くて外観に優れる屋根を提供することを目的とするものである。
【課題を解決するための手段】
【０００６】
本発明の請求項１に記載の屋根材Ａは、基板１の表面に傾斜方向の異なる複数の傾斜面２、２…を設け、基板１の側部に設けた側部傾斜面３、４を基板１の内側方向に下り傾斜させて形成して成ることを特徴とするものである。
【０００７】
本発明の請求項２に記載の屋根材Ａは、請求項１において、基板１の略中央部に頂部５を設け、頂部５から略側方に向かって下り傾斜する中央部傾斜面７、８を設けて成ることを特徴とするものである。
【０００８】
本発明の請求項３に記載の屋根材Ａは、請求項１又は２において、基板１の棟側部に基板１の略中央部に向かって下り傾斜する棟部傾斜面９を形成して成ることを特徴とするものである。
【０００９】
本発明の請求項４に記載の屋根材Ａは、請求項３において、棟部傾斜面９を棟側寄りの緩斜面部９ａと中央部寄りの急斜面部９ｂとで形成して成ることを特徴とするものである。
【００１０】
本発明の請求項５に記載の屋根は、請求項１乃至４のいずれかに記載の複数枚の屋根材Ａ、Ａ…を屋根の軒棟方向とそれに直交する方向とに隣接して形成される屋根であって、軒棟方向と直交する方向に隣接して接続した屋根材Ａ、Ａの接続部分Ｂが軒棟方向に一直線上に並ばないように、複数枚の屋根材Ａ、Ａ…を千鳥配置して成ることを特徴とするものである。
【発明の効果】
【００１１】
請求項１の発明では、雨水が基板１の両側部に設けた側部傾斜面３、４から基板１の内側方向に向かって流れることになり、軒棟方向と直交する方向に隣接して接続した屋根材Ａ、Ａの接続部分Ｂに向かって雨水が流れにくくなって、屋根の防水性を高くすることができるものであり、また、表面が傾斜方向の異なる複数の傾斜面２、２…で構成されるために、平坦な表面や表面に溝を設ける場合に比べて外観に優れるものである。
【００１２】
請求項２の発明は、雨水が中央部傾斜面７、８から基板１の略側方に向かって流れることになり、軒棟方向と直交する方向に隣接して接続した屋根材Ａ、Ａの接続部分Ｂに向かって雨水が流れにくくなって、屋根の防水性を高くすることができるものである。
【００１３】
請求項３の発明は、雨水が棟部傾斜面９から基板１の略中央部に向かって流れることになり、軒棟方向と直交する方向に雨水が流れにくくなって、すなわち、雨水の横走りを防止することができ、隣接して接続した屋根材Ａ、Ａの接続部分Ｂに向かって雨水が流れにくくなって、屋根の防水性を高くすることができるものである。
【００１４】
請求項４の発明は、軒棟方向と直交する方向に雨水がさらに流れにくくなって、隣接して接続した屋根材Ａ、Ａの接続部分Ｂに向かって雨水が流れにくくなり、屋根の防水性をさらに高くすることができるものである。
【００１５】
請求項５の発明は、雨水が基板１の両側部に設けた側部傾斜面３、４から基板１の内側方向に向かって流れることになり、軒棟方向と直交する方向に隣接して接続した屋根材Ａ、Ａの接続部分Ｂに向かって雨水が流れにくくなって、屋根の防水性を高くすることができるものであり、また、表面が傾斜方向の異なる複数の傾斜面２、２…で構成されるために、平坦な表面や表面に溝を設ける場合に比べて外観に優れるものである。
【発明を実施するための最良の形態】
【００１６】
以下、本発明を実施するための最良の形態を説明する。
【００１７】
本発明において、屋根材Ａは適宜の材質にて形成することができるが、例えばセメント系成形材料を成形し、養生硬化することで形成することができる。このとき、セメント系成形材料としてセメントと水とスチレンモノマー等の油性成分とを主成分とするセメント含有逆エマルション組成物からなるものを用いることが好ましい。このようなセメント系成形材料は保形性が高く、立体的な形状を有する屋根材Ａの作製に好適に用いることができる。このセメント系成形材料は、まず乳化剤、スチレンモノマー、水、架橋剤、重合開始剤を混合して逆エマルション（Ｗ／Ｏエマルション）を調製し、次に、この逆エマルションにセメント、軽量化剤、補強繊維を加えて強制攪拌機又は連続混合機で混合することによって得ることができる。セメントとしては、特に制限されるものではないが、ポルトランドセメント、フライアッシュセメント、高炉セメント、アルミナセメント、ハイアルミナセメント、スラグセメント、早強セメント等を用いることができ、また一種単独で用いたり、二種以上を併用したりすることができる。また、軽量化材としては、例えばフライアッシュバルーン、パーライト、シラスバルーン等のほか、アクリロニトリル発泡体、発泡ポリスチレン、ポリ塩化ビニリデン発泡体等の有機発泡体等を用いることができ、補強繊維としては、例えばポリプロピレン繊維、アクリル繊維、ビニロン繊維等を用いることができる。乳化剤としては、例えば、オレイン酸系乳化剤、ヤシ油系乳化剤、ソルビタンセスキオレート、グリセロールモノステアレート、ソルビタンモノオレート、ジエチレングリコールモノステアレート、ソルビタンモノステアレート、ジグリセロールモノオレート等の非イオン性界面活性剤、各種アニオン系界面活性剤、カチオン系界面活性剤等を用いることができる。架橋剤としては、例えばトリメチロールプロパントリメタクリレート等を用いることができる。重合開始剤としては、有機過酸化物や過硫酸塩等の重合開始剤、例えばｔ−ヘキシルパーオキシ−２−エチルヘキサノエート等を用いることができる。逆エマルション全量に対して、乳化剤の含有量は２．０〜５．０重量％、スチレンモノマーの含有量は８．０〜１７．０重量％、水の含有量は７７．０〜８９．０重量％、架橋剤の含有量は０．０４〜０．６重量％、重合開始剤の含有量は０．０４〜０．６重量％に設定することができる。また、セメント系成形材料全量に対して、セメントの含有量は７０〜９９重量％、軽量化材の含有量は０．３〜３０重量％、補強繊維の含有量は１．０〜２．０重量％に設定することができる。次に、上記のセメント含有逆エマルション組成物をセメント系成形材料として用い、注型法、押出成形法、射出成形法、プレス成形法等の適宜の方法で成形し、例えば８０〜１００℃で６〜１５時間蒸気養生することで、屋根材Ａを得ることができる。
【００１８】
本発明の屋根材Ａは、矩形板状の基板１の表面に傾斜方向の異なる複数の傾斜面２、２…を設けて形成されている。基板１の表面は両方の側部と中央部との三つの部分に区分されている。基板１の両方の側部の表面の傾斜面２は側部傾斜面３、４として形成されている。各側部傾斜面３、４は、基板１の内側方向（側部から中央部に向かう方向）に下り傾斜し、且つ基板１の軒側端部に向かう方向に下り傾斜するように形成されている（矢印ア、イ参照）。
【００１９】
基板１の中央部の軒側寄りの部分には頂部５が形成されており、この頂部５から略側方に向かって下り傾斜する中央部傾斜面７、８が傾斜面２として形成されている。一方の中央部傾斜面７は頂部５から一方の側部傾斜面３に向かって下り傾斜し、且つ基板１の軒側端部に向かう方向に下り傾斜するように形成されている（矢印ウ参照）。また、他方の中央部傾斜面８は頂部５から一方の側部傾斜面４に向かって下り傾斜し、且つ基板１の軒側端部に向かう方向に下り傾斜するように形成されている（矢印エ参照）。
【００２０】
基板１の中央部の棟側よりの部分の傾斜面２は、基板１の略中央部に向かって下り傾斜する棟部傾斜面９として形成されている（矢印オ、カ参照）。この棟部傾斜面９は棟側寄りの緩斜面部９ａと中央部寄りの急斜面部９ｂとを連続して形成されている。
【００２１】
上記の側部傾斜面４と中央部傾斜面８との間には傾斜面２として中間傾斜面１０が形成されている。中間傾斜面１０は中央部傾斜面８側から側部傾斜面４に向かって下り傾斜し、且つ基板１の軒側端部に向かう方向に下り傾斜するように形成されている（矢印キ参照）。中間傾斜面１０は側部傾斜面４よりも低い位置（基板１の厚み方向において裏面側）にあり、中間傾斜面１０と側部傾斜面４とは段差部１１を介して連続している。また、中間傾斜面１０は中央部傾斜面８よりも高い位置（基板１の厚み方向において表面側）にあり、中間傾斜面１０と中央部傾斜面８とは段差部１２を介して連続している。
【００２２】
なお、上記の「軒側端部に向かう方向の下り傾斜」は、屋根材Ａの葺設時に下り傾斜となるように形成しても良いものである。
【００２３】
上記の中央部傾斜面７、８と棟部傾斜面９との間には傾斜面２として接続傾斜面１３が形成されている。接続傾斜面１３は中央傾斜面８とほぼ同方向に下り傾斜している。また、接続傾斜面１３は中央部傾斜面７、８と棟部傾斜面９に連続して形成されている。さらに、側部傾斜面３は接続傾斜面１３及び中央部傾斜面７よりも高い位置にあり、側部傾斜面３と接続傾斜面１３及び中央部傾斜面７とは段差部１４を介して連続している。
【００２４】
さらに、基板１の一方の側端部には側部重ね受け部１５が突設されていると共に基板１の他方の側端部は側部重ね部１６として形成されている。また、基板１の棟側端部（棟部傾斜面９よりも棟側部分）には棟側重ね部１７が突設されていると共に基板１の軒側端部は軒側重ね部１８として形成されている。
【００２５】
そして、上記のように形成される屋根材Ａは野地板などの屋根下地の上に載置して釘等で固定するようにして施工されるものである。そして、屋根下地上で複数枚の屋根材Ａ、Ａ…を軒棟方向（屋根の傾斜方向）とそれに直交する方向とに縦横に並べて施工することにより屋根を形成することができる。ここで、軒棟方向と直交する方向に隣接する屋根材Ａ、Ａは、一方の屋根材Ａの側部重ね受け部１５の上に他方の屋根材Ａの側部重ね部１６を重ねるようにして接続される。また、軒棟方向に隣接する屋根材Ａ、Ａでは、軒側に配置された屋根材Ａの棟側重ね部１７の上に、棟側に配置された屋根材Ａの軒側重ね部１８を重ねるようにして接続されるが、このとき、棟側に配置された屋根材Ａの軒側重ね部１８は、軒棟方向と直交する方向に隣接する屋根材Ａ、Ａの両方の棟側重ね部１７、１７に跨るようにして配置される。そして、棟側に配置された屋根材Ａの軒側端部の略中央部の表面、すなわち中央部傾斜面８に設けた位置決めマーク１９と、軒棟方向と直交する方向に隣接する屋根材Ａ、Ａの接続部分Ｂとが軒棟方向で一直線上に並ぶようにしている。このようにして複数枚の屋根材Ａ、Ａ…を千鳥配置するようにして屋根を形成している。
【００２６】
上記のように形成される屋根では、図２に示すように、軒棟方向と直交する方向に隣接する屋根材Ａ、Ａの接続部分Ｂを避けるようにして雨水が棟側から軒側に流れるために（点線の矢印を参照）、接続部分Ｂに雨水が浸入しにくくなって、屋根の防水性を高くすることができるものである。また、屋根材Ａの表面が傾斜方向の異なる複数の傾斜面２、２…で構成されるために、平坦な表面や表面に溝を設ける場合に比べて外観に優れるものである。
【図面の簡単な説明】
【００２７】
【図１】本発明の屋根材の実施の形態の一例を示す平面図である。
【図２】本発明の屋根の実施の形態の一例を示す一部の平面図である。
【図３】従来例の屋根を示す一部の斜視図である。
【図４】従来例の屋根を示し、（ａ）〜（ｃ）は概略図である。
【符号の説明】
【００２８】
Ａ  屋根材
Ｂ  接続部分
１  基板
２  傾斜面
３  側部傾斜面
４  側部傾斜面
５  頂部
７  中央部傾斜面
８  中央部傾斜面
９  棟部傾斜面
９ａ  緩斜面部
９ｂ  急斜面部
【図１】
2008163678.tif 000003
【図２】
2008163678.tif 000004
【図３】
2008163678.tif 000005
【図４】
2008163678.tif 000006